(57)【特許請求の範囲】
【請求項１】
手を出し入れできる処理空間を有する前面が取外し可能な前パネルで構成された箱体と、この箱体内に外部から空気を吸込み、吸込んだ空気を加圧して高速空気流に変換し、前記箱体の処理空間に噴出する気流発生部とを備えた乾燥装置と、この乾燥装置の空気の吸込口に着脱可能に設けられ、その吸込口に吸込まれる空気を昇温する加熱装置とからなる手乾燥装置であって、その加熱装置に電源を供給する電源供給手段を前記乾燥装置の前記前パネルを外すことにより接続できる位置に設けた手乾燥装置。
【請求項２】
請求項１に記載の手乾燥装置であって、加熱装置を抜き差しによって乾燥装置に脱着する構成とし、前記乾燥装置の下部の背後側と前記加熱装置の上部背後側に設けた電源接続部により前記加熱装置を前記乾燥装置へ差し込み装着することによって前方から電源供給手段が繋がるようにした手乾燥装置。
【発明の詳細な説明】
【０００１】
【発明の属する技術分野】
本発明は、洗浄後の濡れた手を高速空気流の噴射によって乾燥処理する手乾燥装置に関するものである。
【０００２】
【従来の技術】
洗浄後の濡れた手を乾燥させる装置として例えば、特開平１１―１７８７４２号公報や、特開平６―３０４０９０号公報に示されているように、高速空気流を、手を出し入れできる処理空間に噴出し、高速空気流の運動エネルギーによって手に付着した水分を処理空間内へ吹飛ばして手を乾燥させる手乾燥装置がある。こうした手乾燥装置の中には、特開平１０―７５９１５号公報に示されているように、処理空間へ吹出す高速空気流を温風にすることができるようにしたものもある。温風を作る装置としては、ブロアーの吸込み空気に熱量を供給してこれを昇温させる蓄熱式の空気加熱装置が広く採用されている。蓄熱式の空気加熱装置は、ヒーターを蓄熱放熱箱に収めた構成が採られ、ブロアーの吸込口に個別な装置として装着されている。
【０００３】
【発明が解決しようとする課題】
従来の空気加熱装置を備えた手乾燥装置においては、空気加熱装置と手乾燥装置本体とに個別に電源が必要である。施工に当たっては通常、一本の外部電源でブロアー側の電源と空気加熱装置の電源が確保される。それには、まず、外部電源を空気加熱装置に接続し、さらに空気加熱装置から手乾燥装置本体へ電源接続線を接続するといった時間を要する面倒な作業をしなくてはならなかった。
【０００４】
本発明は、上記した従来の問題点に鑑みてなされたものであり、その課題とするところは、加熱装置を持つ手乾燥装置の施工性を改善することである。また、加熱装置の安全性を高めることもその課題としている。
【０００５】
【課題を解決するための手段】
前記課題を達成するために請求項１の発明は、手を出し入れできる処理空間を有する前面が取外し可能な前パネルで構成された箱体と、箱体内に外部から空気を吸込み、吸込んだ空気を加圧して高速空気流に変換し、箱体の処理空間に噴出する気流発生部とを備えた乾燥装置と、乾燥装置の空気の吸込口に着脱可能に設けられ、その吸込口に吸込まれる空気を昇温する加熱装置とからなる手乾燥装置について、その加熱装置に電源を供給する電源供給手段を乾燥装置の前パネルを外すことにより接続できる位置に設ける手段を採用する。
【０００７】
前記課題を達成するために請求項２の発明は、請求項１に係る前記手段における加熱装置を、抜き差しによって乾燥装置に脱着する構成とし、乾燥装置の下部の背後側と加熱装置の上部背後側に設けた電源接続部により加熱装置を乾燥装置へ差し込み装着することによって前方から電源供給手段が繋がるようにする手段を採用する。
【００１０】
【発明の実施の形態】
実施の形態１．
図１〜図４によって示す本実施の形態は、加熱装置を備えた手乾燥装置に関するものである。図１によって全体を断面して示すように、この手乾燥装置は、開放シンク状の処理空間１を形成した本体箱体２に気流発生部３が組込まれて乾燥装置４が構成され、気流発生部３の吸込口５に蓄熱式空気加熱装置６が着脱可能に接続されている。本体箱体２の処理空間１は、手を出し入れできる有底の開放空間として形成され、その手挿入口近傍には、処理空間１への手の挿抜を検知する赤外線による手検知センサー（図示しない）が設けられている。
【００１１】
気流発生部３は、本体箱体２の下部に開口した吸込口５から空気を吸込み、ブロアーで高圧空気流を生成して処理空間１の手挿入口近傍において水分を吹飛ばす手乾燥に関する作動気流としての高速の気流をノズル７によって形成するものである。気流発生部３の電源は図２に示すように外部電源８からとられている。外部電源８からとられた電源は、電源供給手段に本体箱体１内において分配されている。電源供給手段は、接続線９とその端に接続された接続器１０とからなり、本体箱体２の前面を構成する前パネル１１を外すことによって呈出する位置に配設されている。
【００１２】
蓄熱式空気加熱装置６は、図１及び図３に示すように外部に開放した通風路１２を構成する蓄熱放熱箱１３にシーズヒーター１４が組込まれた構成である。蓄熱放熱箱１３は、上部に乾燥装置4に前方からの差し込みで接続する接続構造を備え、シーズヒーター１４の熱量を蓄熱するとともに空気に放熱する箱体であり、上側にエアーチャンバー１５を備えている。エアーチャンバー１５には、乾燥装置4の吸込口５に通じる通風路１２を、気流発生部３の吸込作用で開放し、通常は板バネ１６の弾力で閉止するダンパー１７が設けられている。ダンパー１７は、一辺縁が二枚の板バネ１６で固定され、板バネ１６の弾性変形により回動し通風路１２を開放する。エアーチャンバー１５の通風路１２の縁には通風路１２の投影平面外へのダンパー１７の移動を拘束する移動防止部１８が衝立状に設けられている。このダンパー１７の開放により、エアーチャンバー１５に連絡して設けられた接続口１９と、乾燥装置４の吸込口５とが連通する。
【００１３】
蓄熱式空気加熱装置６の電源は、図２に示すように電源線２０に設けられた接続器２１を乾燥装置４の接続線９の接続器１０に接続することによって乾燥装置４側から供給され、乾燥装置４の電源スイッチの投入で電源が供給される。蓄熱式空気加熱装置６には、図４に示すようにマイコン２２を搭載した制御回路２３が組込まれている。制御回路２３は、手乾燥装置の周囲の温度を検知する温度検知回路２４と、シーズヒーター１４の温度を検知するヒーター温度検知回路２５と、マイコン２２と、ヒーター駆動回路２６と温度設定スイッチ２７とから構成されている。温度検知回路２４の出力と温度設定スイッチ２７の信号がマイコン２２に入力され、マイコン２２のプログラムに従って処理されてヒーター駆動回路２６を介してシーズヒーター１４への通電が制御される。温度検知回路２４の出力が設定温度以上であれば、シーズヒーター１４への通電は絶たれ、設定温度未満では通電される。温度設定スイッチ２７は、例えば２０度、２１度、２２度、２３度といった具合に一度刻みに段階的に設定することができ、この温度設定に基づいて蓄熱式空気加熱装置６が自動運転される。
【００１４】
乾燥装置４は、その内部に組込まれた制御回路によって独自に運転制御される。処理空間１における手を検知する手検知センサーの出力信号が制御回路に取込まれ、制御回路でのプログラムによる処理によって、気流発生部３が制御される。即ち、制御回路は、手検知センサーの出力信号が有ると、気流発生部３を駆動させる処理をし、その後、手を検知していた手検知センサーの出力信号が無くなると、気流発生部３を停止する処理を行う。
【００１５】
一方、蓄熱式空気加熱装置６は、乾燥装置４の電源スイッチの投入とともに電源が供給され、自動運転態勢になる。温度設定スイッチ２７の設定温度が例えば、２０度であれば制御回路２３は、温度検知回路２４による周囲温度の値を読取り、周囲温度が２０度以上であれば、シーズヒーター１４への通電は停止される。周囲温度が２０度未満であれば、シーズヒーター１４への通電が行われる。
【００１６】
そして、乾燥装置４の気流発生部３の動作とともにダンパー１７が吸込力を受けて開き、昇温又は非昇温の空気が吸込口５から吸込まれ、処理空間１へ高速の作動気流として吹出される。このように設定温度に基づいて蓄熱式空気加熱装置６を自動運転させることによって、管理し易い手乾燥装置となり、無駄な電力の消費も抑えることができる。
【００１７】
施工に当たっては乾燥装置４を外部電源８と接続し、蓄熱式空気加熱装置６を乾燥装置４の吸込口５に差し込み接続し、乾燥装置４の前パネル１１を外して接続線９の接続器１０と、電源線２０に設けられた接続器２１を接続すれば良い。乾燥装置４が単独で既設されている場合、蓄熱式空気加熱装置６の設置は、外部電源８を操作する必要がないため、有資格者でなくても簡単に行うことができ、乾燥装置4を取外す必要もない。
【００１８】
蓄熱式空気加熱装置６のダンパー１７は、通常は通風路１２を閉止して熱が乾燥装置４側に及ばないようになっているが、板バネ１６の疲労等で板バネ１６が破断してしまうようなことも起きる。板バネ１６が破断するとダンパー１７は拘束を失い自由状態になるが、通風路１２の投影平面内に移動防止部１８によって留め置かれるため、通風路１２が開口することはなく、蓄熱式空気加熱装置６の熱が乾燥装置４に悪影響を及ぼすことはなく、安全性が保持される。
【００１９】
実施の形態２．
図５及び図６によって示す本実施の形態は、実施の形態１で示した手乾燥装置の乾燥装置４と蓄熱式空気加熱装置６との電源の接続構造に関するものであり、これに係る構成以外は実施の形態１のものと同じである。従って、実施の形態１のものと同じ部分については、実施の形態１のものと同じ符号を用い、それらについての説明は省略する。
【００２０】
本実施の形態の手乾燥装置では、乾燥装置４の電源供給手段がコンセント２８として吸込口５の背後に構成されている。蓄熱式空気加熱装置６にはコンセント２８に対応する背部にプラグ２９が設けられ、蓄熱式空気加熱装置６を乾燥装置4に差し込み装着することによって同時に電源が繋がる構成である。この構成を採ることにより、電源接続の手間は不要となり、蓄熱式空気加熱装置６の施工がいたって簡単になる。これ以外の機能は実施の形態１のものと同じである。
【００２１】
実施の形態３．
図７によって示す本実施の形態は、実施の形態１や実施の形態２で示した手乾燥装置の蓄熱式空気加熱装置６のダンパー１７に関するものであり、これに係る構成以外は各実施の形態のものと同じである。従って、各実施の形態のものと同じ部分については、それら実施の形態のものと同じ符号を用い、その説明は省略する。
【００２２】
本実施の形態のエアーチャンバー１５の通風路１２を開閉するダンパー１７は、乾燥装置４の吸込口５に通じる通風路１２を、気流発生部３の吸込作用で開放し、通常は自重で閉止する構造である。ダンパー１７の通風路１２の一口縁部には、通風路１２側へ斜めに迫り出す開放案内板３０が設けられている。この開放案内板３０にダンパー１７の一辺縁が差し込まれている。ダンパー１７は吸込力を受けて開放案内板３０の傾斜に沿って斜めになって開き、吸込力がないと通風路１２を自重で塞いでいる。この構成を採ることにより疲労等により破損する箇所がないため、ダンパー１７が通風路１２を不用意に開口することがなく、安全性が確保される。これ以外の機能は実施の形態１及び実施の形態２のものと同じである。
【００２３】
【発明の効果】
請求項１の発明によれば、加熱装置を持つ手乾燥装置の施工性が改善される。
【００２４】
請求項２の発明によれば、加熱装置を持つ手乾燥装置の施工性が改善される。
【図面の簡単な説明】
【図１】  実施の形態１の手乾燥装置の全体の構成を示す断面図である。
【図２】  実施の形態１の手乾燥装置の背面図である。
【図３】  実施の形態１の手乾燥装置のエアーチャンバーを示す斜視図である。
【図４】  実施の形態１の手乾燥装置の制御回路の構成図である。
【図５】  実施の形態２の手乾燥装置の背面構成図である。
【図６】  実施の形態２の手乾燥装置の要部の側面構成図である。
【図７】  実施の形態３の手乾燥装置のエアーチャンバーを示す斜視図である。
【符号の説明】
１  処理空間、  ２  本体箱体、  ３  気流発生部、  ４  乾燥装置、  ５  吸込口、  ６  蓄熱式空気加熱装置、  ９  接続線、  １０  接続器、  １２  通風路、  １４  シーズヒーター、  １５  エアーチャンバー、  １６  板バネ、  １７  ダンパー、  １８  移動防止部、  ２０  電源線、  ２１  接続器、２８  コンセント、  ２９  プラグ、  ３０  開放案内板。
【図１】
0003801050.tif 000002
【図２】
0003801050.tif 000003
【図３】
0003801050.tif 000004
【図４】
0003801050.tif 000005
【図５】
0003801050.tif 000006
【図６】
0003801050.tif 000007
【図７】
0003801050.tif 000008